(57)【要約】  ストラップ（１２０）に取り付けられたハウジング（１１０）を含む火事の場合の逃避の間に使用されるブレスレット（１００）であって、そこでストラップ（１２０）が締められる時にハウジング（１１０）は手首に対して押圧され、ハウジング（１１０）は音および光のユニットによる警報のための制御電子装置を含み、ブレスレット（１００）は、ハウジング（１１０）において、ブレスレット（１００）が動いているかを検出するため、制御電子装置に連結される装置と、前記検出に基づいて音および光の伝送を制御する手段と、ストラップ（１２０）が手首の周囲で締められる時ブレスレット（１００）を起動させる手段を含むハウジング（１１０）へのストラップ（１２０）の取付けメカニズムと、を含む。【選択図】図１
2011501313.tif 000002
【特許請求の範囲】
【請求項１】
火事の場合の逃避の間に手首で使用されるブレスレット（１００）であって、互いに関連して動くことができる第１および第２の部分を含むストラップ（１２０）に取り付けられるハウジング（１１０）を含み、このことにより該ストラップ（１２０）の外周が調整されるのを可能にし、該ストラップ（１２０）が締められる場合該手首に対して該ハウジング（１１０）が押圧され、該ハウジング（１１０）が、電源と、音および光信号の警報を制御するための制御電子装置とを含み、該ブレスレット（１００）は、該ブレスレット（１００）が動いているかどうかの状態を検出するために該制御電子装置に連結された装置と、該検出された状態に基づいて音および光の伝送を制御するための手段とを該ハウジング（１１０）においてさらに含み、該ブレスレット（１００）は、該ストラップ（１２０）が緩まった時に該ブレスレット（１００）の該制御電子装置を停止させるのと同様に、該ストラップ（１２０）が該手首の周囲で締められる時に該ブレスレット（１００）の該制御電子装置を起動させる手段を含む該ハウジング（１１０）への該ストラップ（１２０）の取付けメカニズムをさらに含むことにおいて特徴付けられ、これが、該ハウジング（１１０）の反対側に第１および第２の取付けメカニズムを含む、該ストラップ（１２０）のための該取付けメカニズムによって可能にされ、該ストラップ（１２０）の一端が、固定装置（２１５）によって該第１の取付けメカニズムにおいて固定され、該ストラップ（１２０）の他端が該ハウジング（１１０）のポケット（２０５）に位置するバネ装置（２００）の上端に取り付けられる保持装置（２１０）に取り付けられ、該バネ装置（２００）の下端が該ハウジング（１１０）に固定される一方で、上端はポケット（２０５）において直線運動で自由に動くことができ、該バネ装置（２００）は該ストラップ（１２０）が該手首の周囲で締められる時に加圧され、その結果該ハウジング（１１０）に位置するスイッチ（２２０）で接触が確立され、該スイッチ（２２０）が該制御電子装置に連結され、それによって、該ブレスレット（１００）を起動させる、ブレスレット（１００）。
【請求項２】
前記保持装置（２１０）は、前記バネ装置（２００）が加圧される時に前記スイッチ（２２０）における接触を確立する効果を有する磁石（２２５）を含むことにおいて特徴付けられる、請求項１記載のブレスレット（１００）。
【請求項３】
前記ストラップ（１２０）の前記第１の部分と関連して、該ストラップ（１２０）の前記２つの部分を一緒に保持する把持メカニズム（１２５）が、該ストラップ（１２０）の前記第２の部分の前記端部（１２２）が該把持メカニズム（１２５）を通過する時に取り付けられ、該把持メカニズム（１２５）は、該バネ装置（１２８）が加圧される時に該把持メカニズム（１２５）を該ブレスレット（１００）のためのリリース・メカニズムとしてまた作用させるバネ装置（１２８）をさらに含むことにおいて特徴付けられる、請求項１記載のブレスレット（１００）。
【請求項４】
前記ハウジング（１１０）において、それが起動する時に、前記ブレスレット（１００）が起動するかどうかによって２つの異なる機能を有する自動リリースボタン（２４０）は取付けられ、そこで一方の機能は、それが起動しない時に該ブレスレット（１００）の機能の状態試験を実行し、他方の機能は該ブレスレット（１００）が起動する時に警報音および光の伝送を開始し、該機能は前記制御電子装置によって制御されることにおいて特徴付けられる、請求項１記載のブレスレット（１００）。
【請求項５】
前記ストラップ（１２０）に取り付けられるフィルタ（１６０）をさらに含むことにおいて特徴付けられる、請求項１記載のブレスレット（１００）。
【請求項６】
１回の動きで前記手首の周囲で前記ブレスレット（１００）を締めるためその内部を摩擦材料でさらに覆われることにおいて特徴付けられる、請求項１記載のブレスレット（１００）。
【請求項７】
方向指示灯（１３０）と、閃光灯（１４０）と、音生成装置（１５０）とを含み、そこで前記ブレスレット（１００）が起動する時に、該方向指示灯（１３０）は周囲の環境を照らすためのトーチとして使用され、該閃光灯（１４０）と該音生成装置（１５０）とは、該ブレスレット（１００）が所定の期間の動いていなかったことを示すことにおいて特徴付けられる、請求項１記載のブレスレット（１００）。
【請求項８】
前記ブレスレット（１００）を着けている人の異なる状態パラメータを測定するための手段をさらに含み、該状態パラメータがパルス、温度、および、血圧を含むことにおいて特徴付けられる、請求項１記載のブレスレット（１００）。
【請求項９】
前記ブレスレット（１００）を着けている人の前記異なる測定された状態パラメータと同様に、方向の発見のために使われる信号を伝えるためのラジオ送信機をさらに含むことにおいて特徴付けられる、請求項１および８記載のブレスレット（１００）。
【発明の詳細な説明】
【技術分野】
【０００１】
本発明は、火事の場合に逃げる人が使う装置に関する。特に、本発明は、手首の周囲でしっかりとそれが引かれる場合、ブレスレットの様々な機能を作動させる手段を有する取付けメカニズムと共に警報手段を有するブレスレットに関する。
【背景技術】
【０００２】
火事からの逃避は、ストレスおよび恐怖につながる危機的な状況である。そのような状況において、逃げている人々によって使用される装置が、強固でありかつ非常に使い勝手が良いことは不可欠である。
【０００３】
ＵＳ‐４４１８３３７は、この分野において最も近い従来技術を表すと考えられる。この公報において、警報装置は、例えば衣類に取り付けられた装置を有する消防士のような人の運動をモニタすると記載されている。警報装置は、動作センサと、信号処理回路と、警報とを含み、すべての部品はハウジングに含まれている。動作センサは、ローラーの周囲に巻回された誘導コイル内に位置するバネの一端に取り付けられた永久磁石を含む。バネの他端はプリント回路基板に取り付けられ、このことにより、警報装置の運動に応答するコイルに関連した磁石の振動のためにコイル全体で電圧を引き起こす。信号処理回路は、所定の期間内に、例えば、怪我の結果として人が動かない場合に信号を生成する警報を作動させる。
【０００４】
さらに、ブレスレット用に意図される様々な電子的な警報装置が存在する。これらの主な焦点は、ブレスレットをつけているユーザのために異なる警報機能を提供することである。これらは、通常異なるタイプの盗難警報機および異常警報器である。最も単純な実施態様は、ユーザがそれを開始するのを選ぶ場合に停止する音の警報を含む。より高度な実施態様において、外部の装置によってピックアップされて解釈される非常信号を伝えるラジオ送信機がブレスレットに存在する。
【０００５】
しかしながら、火事の場合の避難または逃避の間に使うことができ、使い勝手の良い新型の警報の必要性があることが分かった。
【０００６】
本発明は、火事の場合の逃避の間ブレスレットを提供することによってそのような装置を準備することを試みる。装置は、非常時の状況において使い勝手を良くする特徴を有する。ユーザが実行する必要があるのは、ブレスレットを着け、単純な動きで手首の周囲でそれを締めることだけである。この動作によりブレスレットの制御電子装置が作動し、したがってその機能を有効にする。機能は、ブレスレットの状態によって制御される音および光の信号である。
【０００７】
本発明の重要な特徴は、それが着けられた場合のブレスレットの自動的な起動である。それから、煙および暗さにおける位置確認を容易にするために直ちに光が点灯する。
【０００８】
ユーザがしばらくの間、例えば彼（彼女）が意識不明の時に動かなかった場合、閃光灯および音の信号は動作センサによって自動的に作動する。本発明は、災害の犠牲者をより容易に見つけ、運動の動力を損なわずにユーザに安全を提供するのに役立つ。
【０００９】
ブレスレットは人に取り付けられる場合のみに起動し、したがって、不必要に注目されない。
【００１０】
したがって、本発明は、すでに混沌とした環境に置かれている彼（彼女）がブレスレットを着けるということ以外により多くを要求することなく重要な機能を組み合わせる。
【先行技術文献】
【特許文献】
【００１１】
【特許文献１】米国特許公報第４４１８３３７号
【発明の概要】
【００１２】
すでに言及されたように、本発明は、火事の場合に避難または逃避する間に使用されて、使い勝手の良い装置の提供を目的とする。これは、逃避の間使われなければならないブレスレットにより本発明によって提供される。
【００１３】
より詳しくは、本発明は、互いに関連して動かされ、これによりストラップの外周が調整される第１および第２の部分を含むストラップに取り付けられるハウジングを含む、火事の場合に逃避する間手首で使用されるブレスレットによって特徴付けられ、そこで、ストラップが締められる時にハウジングは手首に対して押圧され、ハウジングは電源と音および光の信号警報を制御するための制御電子装置とを含み、ブレスレットはさらに、ブレスレットが動いているかどうかの状態を検出するための制御電子装置に連結されるハウジングの装置と、検出された状態に基づいて音および光の伝送を制御する手段と、ストラップが再び緩んだ場合ブレスレットの制御電子装置を停止させるのと同様にストラップが手首の周囲で締められる場合ブレスレットの制御電子装置を起動させる手段を含むハウジングへのストラップの取付けメカニズムとを含む。
【００１４】
ストラップの前記取付けメカニズムは、ハウジングの反対側に第１および第２の取付けメカニズムを含み、そこでストラップの一端は固定装置によって前記第１の取付けメカニズムに固定され、ストラップの他端はハウジングのポケットに位置するバネ・メカニズムの上端に取り付けられる保持装置に取り付けられ、バネ・メカニズムの下端はハウジングに固定されて、一方で上端部がポケットにおいて線形運動で自由に動くことができ、バネ・メカニズムはストラップが手首の周囲で締められる場合加圧され、その結果ハウジングに位置するスイッチで接触が確立され、スイッチは前記制御電子装置に連結され、それによってブレスレットが起動される。
【００１５】
本発明の主題であるブレスレットの新規なかつ特有の特徴は、添付の一連の請求項の独立請求項１において明瞭になる。
【００１６】
ブレスレットのさらに特有の特徴は、さらに関連した従属請求項に記載されている。
【図面の簡単な説明】
【００１７】
本発明は、ブレスレットの実施態様を示す図１から３に関して、ここでより詳細に記載される。そこで：
【図１】図１は、手首の周囲で締められるブレスレットを示す；
【図２】図２は、組み込まれたブレーキ警報装置の詳細を示す；
【図３】図３は、取付けメカニズムと、ブレスレットの制御電子装置を起動させるための手段とを示す。
【発明を実施するための形態】
【００１８】
図１は、手首の周囲で締められるブレスレット１００を示す。ブレスレット１００は火事の場合の逃避の間に使用されるのに特によく適しているが、他の範囲の用途は、例えば危険な環境において実行される場合の様々な構造の点検などに関連する。
【００１９】
ブレスレット１００は、互いに関連して動くことができストラップ１２０の外周が調整される第１および第２の部分を含むストラップ１２０に取り付けられるハウジング１１０を含む。ハウジング１１０は、ストラップ１２０が締められる時手首に対して押圧される。ハウジング１１０は、電源と音および光の信号警報を制御するための制御電子装置とを含む。
【００２０】
ブレスレット・ハウジング１１０において、ブレスレット１００が動いているかどうかの状態を検出するための制御電子装置に連結される装置と、ストラップ１２０が再び緩められた場合ブレスレット１００において制御電子装置を停止させる手段と同様に、ストラップ１２０が手首の周囲で締められる場合にブレスレット１００の制御電子装置を起動させる手段を含むストラップ１２０のブレスレット・ハウジング１１０への取付けメカニズムと共に検出された状態に基づいて音および光の伝送を制御する手段とが存在する。これは、図３に関して後でさらに詳細に記載されている。動作を検出する手段は好ましくは、前記制御電子装置と共にブレスレットが光および音を伝えているかどうかを決定する動作検出器である。
【００２１】
図２は、見える、見られるおよび聞こえるために組み込まれた光および警報装置の詳細を示す。これらは好ましくは方向指示灯１３０と、閃光灯１４０と、音生成装置１５０とを含み、そこで方向指示灯１３０は、環境を照らすためのトーチとして使用され、ブレスレットが起動した場合に明るく照らす。閃光灯１４０は点滅することによって周囲の環境へ警報を発し、一方で、音生成装置１５０は強力な音信号を伝える。ブレスレット１００が起動する時、すなわち、手首の周囲で締められ、所定の期間に動かなかった場合に、前述の２つは起動する。
【００２２】
前記点灯装置はハウジング１１０に位置し、異なる実施態様において１以上の光源を含む。方向指示灯１３０は好ましくは１以上の強力ＬＥＤランプであり、一方で閃光灯１４０は放電管である。本発明は、しかしながら、どのようなおよびどれくらいの点灯装置がハウジング１１０に位置するかについて限定されるものではない。図２において示される点灯装置が上方へ光を向けた場合であっても、実施態様において、それらはまた前方にまたは前方のみに光を向けると記載される。
【００２３】
実施態様において、ブレスレットは、ストラップ１２０に取り付けられるフィルタ１６０を含む。これは、図２にて図示したように直接ストラップに取り付けられる、または、他の方法、例えば交替でストラップに取り付けられるストリングから吊着されることによってストラップに連結されてもよい。フィルタ１６０は、火事が発生した場合に問題である塵および炭素煤の濾過に適している塵および／または炭フィルタである。
【００２４】
ブレスレット１００はさらに、その外側に反射器１７０を有する。反射器は、ストラップ１２０の外側および／またはハウジング１１０の外側にある。
【００２５】
実施態様において、１回の動きのみで手首の周囲にストラップ１２０を締めるのを容易にするため、ブレスレット１００はその内部が摩擦材料によって覆われる。摩擦材料は、ハウジング１１０の下、および、手首と接触している部分に好ましくは取り付けられる。これは、１回の操作のみが必要であるようにストラップ１２０が締められる時にブレスレット１００が手首周りで回転するのを防ぐ。
【００２６】
図３は、取付けメカニズムと、ブレスレット１００の制御電子装置を起動させる手段を示す。ストラップ１２０の取付けメカニズムがハウジング１１０の対向した側に第１および第２の取付けメカニズムを含み、ストラップ１２０の一端が固定装置２１５によって前記第１の取付けメカニズムに固定され、ストラップ１２０の他端がハウジング１１０のポケット２０５に位置するバネ装置２００の上端に取り付けられる保持装置２１０に取り付けられる例が示される。バネ装置２００の下端はハウジング１１０に固定され、一方で上端部はポケット２０５において直線運動で自由に動くことができ、ストラップ１２０が手首の周囲で締められる場合にバネ装置２００が加圧され、その結果ハウジング１１０に位置するスイッチ２２０で接触が確立され、スイッチ２２０が前記制御電子装置に連結され、その結果ブレスレット１００が起動する。
【００２７】
実施態様において、保持装置２１０は、バネ装置２００が加圧されて磁石がスイッチ２２０に近づく場合、前記スイッチ２２０において接触を確立する効果を有する磁石２２５を含む。この場合、スイッチは「リードスイッチ」である。
【００２８】
ブレスレット１００が起動する場合、それは待機モードにある。すなわち、それはブレスレット１００の作動モードを決定する前記動作検出器である。ブレスレット１００が起動して、動いている場合、方向指示灯１３０は、彼（彼女）の腕のブレスレット１００と共に動いている人に道を示すため、好ましくは照らされる。ブレスレットが一定時間の間落ち着いている場合、実施態様において光および音で直ちに最大の警報が実施される音によってユーザに知らせる他のモードに移る。ブレスレットが一定時間、例えば４秒動かされない場合、最大の警報が実施される。閃光灯１４０が点滅し、大きい騒音が音生成装置１５０から伝えられる。これは、圧電素子である。また、ブレスレット１００が起動する時に自動リリースボタン２４０を押圧することによって最大の警報に直接進むことも可能である。
【００２９】
すでに言及されたように、ストラップ１２０は、互いに関連して動くことができる２つの部分を含み、このことにより、それらが取り付けられるハウジング１１０が手首の周囲で締められることを可能にする。ストラップ１２０の第１の部分と関連して、ストラップ１２０の第２の部品の端部１２２が把持メカニズム１２５を通過する場合、一緒にストラップ１２０の２つの部分を保持する把持メカニズム１２５が取り付けられる。
【００３０】
実施態様において、ストラップ１２０は、ストラップ１２０が締められる場合に手首の周囲でよく適合する弾性材料でできている。
【００３１】
他の実施態様において、ストラップ１２０は端部で把持メカニズム１２５を有する弾性のないスリーブを含み、そこでゴムバンドは、スリーブと把持メカニズム１２５とを通過する。図３において示されるブレスレットと関連してそのゴムバンドを１回の動きで下に引っ張ることによって、ゴムバンドは把持メカニズム１２５を通じて短くなり、それから一緒にスリーブを引くのでそれは均一の圧力で手の周囲において適合する。
【００３２】
本発明の主な特徴のうちの１つは、ブレスレット１００の制御電子機器が、ブレスレットが手首の周囲で締められるかどうかによって自動的に起動または停止することである。
【００３３】
ストラップ１２０を弾性材料で作ることによって、一緒にストラップ１２０の２つの部分を保持している把持メカニズムを緩めることなくブレスレット１００を外すことが可能である。これは、ブレスレット１００を停止させる１つの方法である。
【００３４】
あるいは、把持メカニズム１２５と関連して、バネ装置１２８が加圧された場合、ブレスレット１００の把持メカニズム１２５をリリース・メカニズムとしても作用させるバネ装置１２８があってもよい。この動作もまた、ブレスレット１００を停止させる。
【００３５】
手首の周囲で固定されない場合にブレスレット１００が自動的に停止する事実は、本発明の重要な特徴である。使用中でない、すなわち、手首に取り付けられていないブレスレット１００は、救助隊員から不必要に注目されることはない。極端な結果として、これが危険な状況を生じさせる可能性がある。
【００３６】
ブレスレット１００の実施態様において、それが起動した場合にブレスレット１００が起動しているかにより２つの異なる機能有する自動リリースボタン２４０がハウジング１１０に取り付けられ、そこでそれが起動しない場合には１つの機能はブレスレット１００の機能の状態試験を実行し、ブレスレット１００が起動するすなわち、手首の周囲で締められた場合には他の機能は警報音および光の伝送を開始し、その機能は、前記制御電子装置によって制御される。後者の場合、動作センサの機能は、無視される。
【００３７】
ブレスレット１００は、それを着用している人の異なる状態パラメータを測定する追加の手段を含む。状態パラメータは、パルス、温度、および、血圧を含む。
【００３８】
ブレスレット１００は、それを着用している人の様々な測定された状態パラメータと同様に方向を見つけるために使われる信号を伝えるラジオ送信機をさらに含む。
【００３９】
本発明のブレスレット１００の適用の範囲は多いが、ユーザが逃避装置をよく知ることができないホテルでの火事から逃避の間の使用に特に適していると考えられる。ユーザが実行しなければならない唯一のことは、彼（彼女）の手首の周りでブレスレットを配置し、それをしっかり引くことである。
【００４０】
沖合設備および船もまた、本発明が特によく適している範囲であると考えられる。
【００４１】
関連した説明を有する図面は示された実施態様として見なされるべきであり、本発明はこれらに限定されると考えられるべきではなく、添付の一連の請求項において定めたすべての実施態様に適用されるべきである。
【図１】
2011501313.tif 000003
【図２】
2011501313.tif 000004
【図３】
2011501313.tif 000005
【国際調査報告】
2011501313.tif 000006
2011501313.tif 000007
2011501313.tif 000008